(57)【要約】【課題】フィルタの取付を使用者が誤ることを抑制する。【解決手段】洗濯機の筐体に取付けられる固定フィルタ及び該固定フィルタに着脱自在の内部フィルタを有するフィルタユニットであって、  前記内部フィルタの前記固定フィルタに対する取付向きが誤っている場合に、前記内部フィルタと前記固定フィルタとの取付を阻害する干渉リブを有する。【選択図】図５
2019050898.tif 000002
【特許請求の範囲】
【請求項１】
洗濯機の筐体に取付けられる固定フィルタ及び該固定フィルタに着脱自在の内部フィルタを有するフィルタユニットであって、
前記内部フィルタの前記固定フィルタに対する取付向きが誤っている場合に、前記内部フィルタと前記固定フィルタとの取付を阻害する干渉リブを有することを特徴とするフィルタユニット。
【請求項２】
前記固定フィルタは、
前記内部フィルタとの取付に使用されるツメ、又は、
リントフィルタを囲む枠、該枠から突出した領域、及び該突出した領域に直交する方向に延在するリブを有し、
前記内部フィルタは、前記干渉リブを有し、
前記干渉リブは、前記内部フィルタの前記固定フィルタに対する取付向きが誤っている場合に、前記ツメ又は前記リブに干渉することを特徴とする請求項１に記載のフィルタユニット。
【請求項３】
請求項１又は２に記載のフィルタユニットを備えた洗濯機。
【発明の詳細な説明】
【技術分野】
【０００１】
本発明は、フィルタユニット及びフィルタユニットを有する洗濯機に関する。
【背景技術】
【０００２】
特許文献１には、洗濯乾燥機として、フィルタ部を送風路から着脱可能に構成するとともに、フィルタ近傍にクリーニング機構を設けた構成が記載されている。
【先行技術文献】
【特許文献】
【０００３】
【特許文献１】実開昭６０−１７９２９６号公報
【発明の概要】
【発明が解決しようとする課題】
【０００４】
フィルタを着脱自在にする場合、フィルタの取付を使用者が誤る虞がある。そのようなことが生じると、フィルタによる糸屑等の除去性能が低下してしまう虞がある。
【課題を解決するための手段】
【０００５】
上記事情に鑑みてなされた本発明は、洗濯機の筐体に取付けられる固定フィルタ及び該固定フィルタに着脱自在の内部フィルタを有するフィルタユニットであって、前記内部フィルタの前記固定フィルタに対する取付向きが誤っている場合に、前記内部フィルタと前記固定フィルタとの取付を阻害する干渉リブを有することを特徴とする。
【図面の簡単な説明】
【０００６】
【図１】本実施形態に係る洗濯乾燥機の適用例としてのドラム式洗濯機の分解斜視図
【図２】本実施形態に係る洗濯乾燥機の適用例としてのドラム式洗濯機の外観斜視図
【図３】乾燥フィルタユニットとその取付部の構成図
【図４】取付部の概略構成
【図５】（ａ）は固定フィルタ流側から観察した正面図、（ｂ）は第１ツメ近傍の拡大図
【図６】（ａ）は内部フィルタを上流側から観察した正面図、（ｂ）は固定フィルタ及び固定フィルタに取付けた状態の内部フィルタを、内部フィルタ側（上流側）から観察した正面図
【図７】固定フィルタ及び内部フィルタを筐体に取付けた状態の斜視図
【図８】固定フィルタと内部フィルタの分解右側面図
【図９】固定フィルタと内部フィルタの分解斜視図
【発明を実施するための形態】
【０００７】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【０００８】
＜洗濯乾燥機の全体構成＞
図１は、本実施形態に係る洗濯乾燥機の適用例としてのドラム式洗濯機の分解斜視図である。なお、本実施形態では、筺体内部の、洗濯機を制御するメイン基板ユニット、洗濯水を循環させる循環手段（配管、ポンプ）、対象物（布類）を乾燥させる乾燥風を循環させる乾燥手段、配管等の構成については図示を省略している。
【０００９】
図１に示すように、ドラム式洗濯機１は、本実施形態に係るドラム式の洗濯乾燥機が一体に組み込まれた洗濯機であり、筐体１内に弾性支持された外槽３と、この外槽３内に回転自在に支持された回転ドラム（内槽）４と、外槽３および回転ドラム４を収容する筐体１０と、を備えて構成されている。
【００１０】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。
【００１１】
回転ドラム４は、回転可能に支持された円筒状の洗濯兼脱水槽であり、その外周壁に通水および通風のための多数の貫通孔４ａが形成され、前側端面には、洗濯物を出し入れするための開口部４ｂが形成されている。
【００１２】
前面上パネル１２の平坦部１２ａには、ヒンジを介してドア２５が取り付けられている。前面下パネル１３の平坦部１３ａには、図示しない糸くずフィルタのフィルタ部材を出し入れするためのフタ１３ｄが取り付けられている。
【００１３】
上部連結補強部３６は、上部補強板３５と背面パネル１６とを連結し、合成樹脂により成型されたものであり、上部補強板３５と背面パネル１６とを図示しないねじを介して結合するものである。また、上部連結補強部３６は、前後方向に延び、かつ、左右方向の中央部に位置するように配置されている。上部連結補強部３６の左右には、給水ユニット（不図示）や乾燥フィルタユニット３７などが取り付けられる。図示しない給水ユニットは、給水管（不図示）、給水ホース接続口１８ｆ（図２参照）および風呂水ホース接続口１８ｇ（図２参照）に接続される洗剤給水電磁弁、風呂水を吸い上げるポンプなどである。
【００１４】
図２は、洗濯乾燥機の適用例としてのドラム式洗濯機の外観斜視図である。図２に示すように、前面上パネル１２の湾曲部１２ｂおよび前面下パネル１３の湾曲部１３ｂは、ドア２５の右端の位置から側面パネル１４Ａに向けて湾曲して形成されている。上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。
【００１５】
筐体１０の内部には、対象物（布類）を乾燥させる乾燥風が通る送風路（不図示）が設けられている。その送風路上には、埃を捕集するための乾燥フィルタユニット３７が着脱自在に配置されている。
【００１６】
＜乾燥フィルタユニットの取付部の構成＞
図３は、乾燥フィルタユニット３７と取付部３８の構成図であり、取付部３８から乾燥フィルタユニット３７を取り外した状態を示している。ドラム式洗濯機１のトップパネルには、乾燥フィルタユニット３７を取り付けるための取付部３８が設けられている。取付部３８は、上面と後面とに開口部が形成された中空な箱型の形状を呈しており、乾燥フィルタユニット３７を収納することが可能な空間を有している。
【００１７】
図４は、取付部３８の概略構成を示している。取付部３８は、上流側から乾燥風を乾燥フィルタユニット３７に流入させる流入口３８ａと、乾燥フィルタユニット３７からの乾燥風を下流側のヒータ（不図示）へと流出させる流出口３８ｂと、を有している。なお、流出口３８ｂの下流側には、ファン（不図示）やヒータ（不図示）等が設けられている。本実施形態では、流入口３８ａは、取付部３８の後面側に設けられており、一方、流出口３８ｂは、取付部３８の右面側に設けられている。したがって、流出口３８ｂは、流入口３８ａに対して略直角な方向に配置されている。
【００１８】
流入口３８ａには、仕切り板３９が取り付けられている。流出口３８ｂには、固定フィルタ９１と内部フィルタ９２とが取り付けられている。固定フィルタ９１と内部フィルタ９２とは、それぞれ、乾燥風に含まれている埃を捕集するためのリントフィルタが取り付けられたフィルタ部材である。固定フィルタ９１は、ねじ等の固定部１００によってドラム式洗濯機１の筺体に締結されている。一方、内部フィルタ９２は、固定フィルタ９１より上流側に位置して固定フィルタ９１に着脱自在である。このような位置関係であることにより、固定フィルタ９１から内部フィルタ９２を容易に取り外すことができる。
【００１９】
図５（ａ）は固定フィルタ９１を上流側から観察した正面図、図５（ｂ）は第１ツメ９５ａ近傍の拡大図、図６（ａ）は内部フィルタ９２を上流側から観察した正面図、図６（ｂ）は固定フィルタ９１及び固定フィルタ９１に取付けた状態の内部フィルタ９２を、内部フィルタ９２側（上流側）から観察した正面図である。
【００２０】
（固定フィルタ９１）
固定フィルタ９１は、中央のリントフィルタと、リントフィルタを囲む枠１０２とを有している。枠１０２を形成する辺のうち互いに対向する辺（本実施形態では短辺）には、第１ツメ９５ａ及び第２ツメ９５ｂがそれぞれ形成されており、第１ツメ９５ａの外側直近に空隙を介して第１リブ９７が設けられている。またツメ９５ａ，９５ｂとは異なる辺に、第３ツメ掛け部９６ｃを有している。ここでいう「辺」とは、必ずしも数学的な直線状の形状である必要はなく、或る方向を長手として延在するものであれば一部又は全部に面状の広がりや凹凸などがあっても良い。ツメ９５ａ，９５ｂ，９５ｃはそれぞれ平板状にすることができる。
【００２１】
固定フィルタ９１には、洗濯機の筐体１に固定フィルタ９１を固定するねじ等の固定部１００を挿入する被固定部１００ａが設けられている。また、第１ツメ９５ａと同じ辺で第３ツメ掛け部９６ｃとの間に第２リブ９９が、第２ツメ９５ｂと同じ辺で被固定部１００との間に第３リブ１０１が設けられている。
【００２２】
第１リブ９７は、第１ツメ９５ａに略垂直な方向に延在する押え部９７ａを１つ又は２つ有することができる。本実施形態のように２つの押え部９７ａを有する場合は、さらに、２つの押え部９７ａを連結する連結部９７ｂを有することができる。
連結部９７ｂの延在方向は、それぞれの押え部９７ａの延在方向に対して略直交している。連結部９７ｂを設けることで、それぞれの押え部９７ａの強度を向上することができる。また、内部フィルタ９２を取付けたときに空隙を介して第１ツメ９５ａと対向するように連結部９７ｂを設けることで、第１ツメ９５ａとの間に摩擦が生じることを抑制でき、第１ツメ９５ａの取付を容易に行うことができる。
押え部９７ａのうち第１ツメ９５ａから遠い側の端部は、連結部９７ｂよりも第１ツメ９５ａから遠くに位置している。
【００２３】
第３ツメ掛け部９６ｃは、辺がやや面状に突出した領域に設けられている（特に図９参照）。このような突出した領域は、力が加えられることで変形する虞があるが、本実施形態ではこの領域に接続し、この領域に直交する方向に延在する第２リブ９９が設けられているため、強度が向上されている。同様に、辺から突出した被固定部１００ａに接続し、被固定部１００ａに直交する方向に延在する第３リブ１０１によって、被固定部１００ａの強度が向上されている。
【００２４】
（内部フィルタ９２）
内部フィルタ９２は、中央のリントフィルタと、リントフィルタを囲む枠１０３とを有している。枠１０３を形成する辺に、辺から突出した形状であり第１ツメ９５ａに係合する第１ツメ掛け部９６ａと、第２ツメ９５ｂに係合する第２ツメ掛け部９６ｂと、第３ツメ掛け部９６ｃに係合する第３ツメ９５ｃとを有する。また、内部フィルタ９２は、乾燥フィルタユニット３７が取り外される側に、凸部９６ｚを有する。凸部９６ｚを支点にして使用者が力を加えることで固定フィルタ９１からの取り外しを容易に行うことができる。
【００２５】
（着脱）
図７は固定フィルタ９１及び内部フィルタ９２を筐体１に取付けた状態の斜視図であり、取付部３８を含んだ斜視図である。図中の矢印は空気流の方向を示している。
ツメ９５ａ，９５ｂ，９５ｃは、薄厚で平板状の形状であるため、ツメに垂直な方向の力が加えられると屈曲し、変形してしまう虞がある。ここで、固定フィルタ９１の第２ツメ９５ｂの外側直近には筐体１の壁面が位置しているため、筐体１の壁面に略接触することになり、内部フィルタ９２の着脱時に例えば使用者からの力が加えられることを抑制できる。すなわち、第２ツメ９５ｂを筐体１の壁面近傍に配することで、第２ツメ９５ｂや第２ツメ掛け部９６ｂが変形してしまう虞を低減している。一方、第１ツメ９５ａは、少なくとも第２ツメ９５ｂよりも、筐体１の壁面に対して遠くに位置しており、変形の虞が比較的大きい。
【００２６】
また、第３ツメ９５ｃは第３ツメ掛け部９６ｃや筐体１に囲まれることになるため、同様に変形の虞は低減されている。
【００２７】
一方、第１ツメ９５ａ近傍には、流路を効果的に構築する都合上、筐体１の壁面を配することが困難な場合がある。このため本実施形態では、第１ツメ９５ａの外側直近にリブ９７を設けることで、第１ツメ９５ａの変形の虞を低減している。すなわち、第１ツメ９５ａは、内側が枠で支持され、外側が第１リブ９７で支持されることができる。
【００２８】
なお、使用者が凸部９６ｚやその近傍に手指で力を加えて内部フィルタ９２を取り外すことが期待される。ツメ９５ａ，９５ｂはツメ９５ｃに比べて凸部９６ｚに近い位置にあるため、使用者に触れられて力が加えられる虞が比較的大きい。一方、ツメ９５ｃの位置は凸部９６ｚに対向する領域に設けられており、凸部９６ｚから加えられる力の支点に近いため、使用者に触れられて変形する虞が比較的小さい。
【００２９】
（組立間違いの抑制）
図８は固定フィルタ９１と内部フィルタ９２の分解右側面図、図９は固定フィルタ９１と内部フィルタ９２の分解斜視図である。内部フィルタ９２は、固定フィルタ９１への取付の際に正常な向きで取り付けられようとすると固定フィルタ９１の部材に干渉しないが、誤った向きで取り付けられようとすると、ツメ９５ａ，９５ｂ、又はリブ９９，１０１に干渉して取付を阻害する干渉リブ９８を有する。
【００３０】
すなわち、固定フィルタ９１への正常な取付向きに対して、少なくとも長辺方向を軸として反転させた向きで取り付けられようとすると、干渉リブ９８は第２リブ９９又は第３１０１に接触してしまい、取付を行うことができない。
【符号の説明】
【００３１】
１    ドラム式洗濯機（洗濯乾燥機）
３    外槽
３ａ    有底円筒状の外槽本体
３ｂ    外槽カバー
３ｓ    開口部
４    回転ドラム（内槽）
４ａ    貫通孔
４ｂ    開口部
４ｃ    リフタ
５    ダンパ
１０    筐体
１１    前面パネル（前板）
１２    前面上パネル
１２ａ    平坦部
１２ｂ，１２ｃ    湾曲部
１３    前面下パネル
１３ａ    平坦部
１３ｂ，１３ｃ    湾曲部
１３ｄ    フタ
１４Ａ，１４Ｂ    側面パネル（側板）
１４ａ    湾曲部
１４ｂ    手掛け部
１４ｃ    補強用の凹部（リブ）
１６    背面パネル（背板）
１６Ａ    背面上パネル
１６Ｂ    背面下パネル
１６ａ，１６ｂ    湾曲部
１７    ベース
１８    上面パネル（上板）
１８ｆ    給水ホース接続口
１８ｇ    風呂水ホース接続口
２０    洗剤投入部
２２    操作パネル
２５    ドア
３１    前面上部補強板
３１ａ    板部
３１ｂ，３１ｃ    曲げ部
３１ｄ    切欠部
３２    前面下部補強板
３２ａ    板部
３２ｂ，３２ｃ    曲げ部
３２ｄ    切欠部
３３，３４    下部補強支持板
３３ａ    上部連結部
３３ｂ    下部連結部
３４ａ    上部連結部
３４ｂ    下部連結部
３５    上部補強板
３５ａ    板部
３５ｂ，３５ｃ    曲げ部
３６    上部連結補強部
３７    乾燥フィルタユニット
３８    取付部
３８ａ    流入口
３８ｂ    流出口
３９    仕切り板
４０    フィルタ部
４１（４１ａ，４１ｂ）    リントフィルタ
４２，５２    フレーム
４２ｄ    溝部
４３    後面開口部（流入口）
４４    上面開口部
４５    逃げ部
５０    フタ部
５１（５１ａ，５１ｂ）    ブレード（清掃手段）
５２ｔ    突出部
５３    支持部
５４    カバー板
６０    封止機構
６１    パッキン（弾性部材）
６２    前後方向配置部
６３    横方向配置部（中間部分）
６６    リブ（押付部）
６７    上下方向突出部
６８    横方向突出部
７０    押付機構
７１    ガイド部
７１ａ    最奥部
７１ｂ    途中部分
７１ｃ    入口部分
７２    挿入部
７２ａ    挿入先端部
７２ｂ    途中部分
７２ｃ    挿入後端部
８１    取っ手
９１    固定フィルタ
９２    内部フィルタ（着脱フィルタ）
９３    パッキン
９４    リブ
９５    ツメ
９６    ツメ掛け部
９７    第１リブ
９８    干渉リブ
９９    第２リブ
１００  固定部
１０１  第３リブ
１０２  枠（固定フィルタ）
１０３  枠（内部フィルタ）
【図１】
2019050898.tif 000003
【図２】
2019050898.tif 000004
【図３】
2019050898.tif 000005
【図４】
2019050898.tif 000006
【図５】
2019050898.tif 000007
【図６】
2019050898.tif 000008
【図７】
2019050898.tif 000009
【図８】
2019050898.tif 000010
【図９】
2019050898.tif 000011